(57)【要約】      （修正有）【課題】部品点数と組み立て工数の削減を図った冷蔵庫の提供。【解決手段】機械室の冷却ファン取付部に凹部２２，２３，２４を設けるとともに、冷却ファン５はそのファン枠１８に第１、第２、第３突起１９，２０，２１を設け、前記第１、第２、第３突起１９，２０，２１を機械室の凹部２２，２３，２４に嵌合させ、当該第１、第２突起の一方で左右方向の位置規制を、他方で上下方向の位置規制を行い、第３突起で前後方向の動きを規制する構成としてある。これにより、冷却ファンはそのファン枠に設けた第１、第２、第３突起を機械室に設けた凹部に挿入すれば、左右、上下、前後の動きを規制した状態で機械室に取り付け固定することができ、ビス等の部品を必要としないばかりかこのビス止め作業もすることなく冷却ファンを機械室に取り付け固定することができる。【選択図】図５
2015059727.tif 000002
【特許請求の範囲】
【請求項１】
冷蔵庫本体の天面後部に圧縮機と冷却ファンを収容した機械室を設け、上記機械室の冷却ファン取付部には凹部を設けるとともに、冷却ファンはそのファン枠の後端側上下及び前端側下部に第１、第２、第３突起を設け、前記第１、第２、第３突起を当該第１、第２、第３突起に対応して前記機械室に設けた前記凹部に挿入して固定するとともに、前記ファン枠後端側上下に設けた第１、第２突起の一方で左右方向の位置規制を、他方で上下方向の位置規制を行い、ファン枠前端下部に設けた第３突起はその突起端縁に設けた小突起を前記機械室の凹部内面に圧入して前後方向の動きを規制し固定する構成とした冷蔵庫。
【発明の詳細な説明】
【技術分野】
【０００１】
本発明は、冷蔵庫本体の機械室に設けた冷却ファンの固定構成に関するものである。
【背景技術】
【０００２】
一般に冷蔵庫は、冷蔵庫本体の下部背面或いは天面後部に機械室を設け、この機械室に圧縮機とこれを冷却する冷却ファンが設けてある（例えば、特許文献１参照）。
【０００３】
図１１は特許文献１に記載されている冷蔵庫を示し、冷蔵庫本体１０１の天面後部に機械室１０２を凹設し、この機械室１０２に圧縮機１０３とこれを冷却する冷却ファン１０４が設けてある。そして、この機械室１０２を機械室カバー１０５で覆っている。
【０００４】
上記機械室カバー１０５は、金属製カバー１０６の一方の端部に吸気口１０７を設けた樹脂製カバー１０８、他方端部に排気口１０９を設けた樹脂製カバー１０８が設けてあり、前記冷却ファン１０４によって吸気口１０７から吸引した外気で圧縮機１０３を冷却した後、排気口１０９から排気するようになっている。
【先行技術文献】
【特許文献】
【０００５】
【特許文献１】特開２０１１−２０２８５９号公報
【発明の概要】
【発明が解決しようとする課題】
【０００６】
上記特許文献１記載の冷蔵庫は冷却ファン１０４を機械室１０２に固定するに際し、ビス止め固定しているが、このピス止めは機械室１０２内の狭い空間内で行わなければならないため作業性が悪く、しかもビスを必要として部品点数が多くなり、コスト高になるという課題があった。
【０００７】
そこで本発明はこのような点に鑑みてなしたもので、部品点数と組み立て工数の削減を図った冷蔵庫を提供することを目的としたものである。
【課題を解決するための手段】
【０００８】
前記従来の課題を解決するために、本発明の冷蔵庫は、機械室の冷却ファン取付部には凹部を設けるとともに、冷却ファンはそのファン枠の後端側上下及び前端側下部に第１、第２、第３突起を設け、前記第１、第２、第３突起を当該第１、第２、第３突起に対応して前記機械室に設けた前記凹部に挿入して固定するとともに、前記ファン枠後端側上下に設けた第１、第２突起の一方で左右方向の位置規制を、他方で上下方向の位置規制を行い、ファン枠前端下部に設けた第３突起はその突起端縁に設けた小突起を前記機械室の凹部内面に圧入して前後方向の動きを規制し固定する構成としてある。
【０００９】
これにより、冷却ファンはそのファン枠に設けた第１、第２、第３突起を機械室に設けた凹部に挿入すれば、左右、上下、前後の動きを規制した状態で機械室に取り付け固定することができ、ビス等の部品を必要としないばかりかこのビス止め作業もすることなく冷却ファンを機械室に取り付け固定することができる。
【発明の効果】
【００１０】
本発明の冷蔵庫は、ビス等を用いることなく、かつ、このビス止め作業もすることなく冷却ファンを機械室に取り付け固定することができる冷蔵庫を提供することができる。
【図面の簡単な説明】
【００１１】
【図１】本発明の実施の形態１に置ける冷蔵庫の斜視図
【図２】同実施の形態１における冷蔵庫を背面側から見た斜視図
【図３】同実施の形態１における冷蔵庫の縦断面図
【図４】同実施の形態１における冷蔵庫の機械室カバーを外した時の斜視図
【図５】同実施の形態１における冷蔵庫の冷却ファン取付部の拡大斜視図
【図６】同実施の形態１における冷蔵庫の冷却ファン取付けを説明する斜視図
【図７】同実施の形態１における冷蔵庫の冷却ファン取付部の拡大正面図
【図８】（ａ）同実施の形態１における冷蔵庫の図５〜図７のＡで示す部分の拡大側断面図、（ｂ）は同拡大平面断面図
【図９】（ａ）同実施の形態１における冷蔵庫の図５〜図７のＢで示す部分の拡大側断面図、（ｂ）は同位置が異なる部分の拡大側断面図
【図１０】（ａ）同実施の形態１における冷蔵庫の図５〜図７のＣで示す部分の拡大側断面図、（ｂ）は同拡大正面図
【図１１】従来の冷蔵庫の断面図
【発明を実施するための形態】
【００１２】
本発明は、冷蔵庫本体の天面後部に圧縮機と冷却ファンを収容した機械室を設け、上記機械室の冷却ファン取付部には凹部を設けるとともに、冷却ファンはそのファン枠の後端側上下及び前端側下部に第１、第２、第３突起を設け、前記第１、第２、第３突起を当該第１、第２、第３突起に対応して前記機械室に設けた前記凹部に挿入して固定するとともに、前記ファン枠後端側上下に設けた第１、第２突起の一方で左右方向の位置規制を、他方で上下方向の位置規制を行い、ファン枠前端下部に設けた第３突起はその突起端縁に設けた小突起を前記機械室の凹部内面に圧入して前後方向の動きを規制し固定する構成としてある。
【００１３】
これにより、冷却ファンはそのファン枠に設けた第１、第２、第３突起を機械室に設けた凹部に挿入すれば、左右、上下、前後の動きを規制した状態で機械室に取り付け固定することができ、ビス等の部品を必要としないばかりかこのビス止め作業もすることなく冷却ファンを機械室に取り付け固定することができる。
【００１４】
以下、本発明の実施の形態について、図面を参照しながら説明する。なお、この実施の形態では機械室を天面後部に設けた冷蔵庫を例にして説明するが、これによって本発明が限定されるものではない。
【００１５】
（実施の形態１）
図１は本発明の実施の形態１に置ける冷蔵庫の斜視図、図２は同実施の形態１における冷蔵庫を背面側から見た斜視図、図３は同実施の形態１における冷蔵庫の縦断面図、図４は同実施の形態１における冷蔵庫の機械室カバーを外した時の斜視図、図５は同実施の形態１における冷蔵庫の機械室カバーを示す分解斜視図、図６は同実施の形態１における冷蔵庫の機械室カバー天面部分の係合状態を示す分解斜視図、図７（ａ）（ｂ）は同実施の形態１における冷蔵庫の機械室カバー背面部分の係合状態を示す分解斜視図である。
【００１６】
図１、図２において、１は冷蔵庫本体で、内部には冷蔵室、冷凍室、野菜室等の複数の貯蔵室が設けてあり、扉２で開閉自在となっている。３は冷蔵庫本体１の天面後部に設置された機械室で、冷蔵庫本体１の天面後部に機械室ケース３ａ（図４参照）を嵌め込み装着して形成してある。この機械室３には、図３に示す様に、風上から順に空冷凝縮器４、冷却ファン５、圧縮機６が設置されており、冷却ファン５を駆動することにより空冷凝縮器４と圧縮機６が空冷される。
【００１７】
上記、冷却ファン５はファンリング７に取り付けられ、ファンリング７は機械室３内の風路を冷却ファン５の風上側と風下側に区分している。また、空冷凝縮器４の上部には、空冷凝縮器４を通過せずに冷却ファン５に直接吸入される外気が通過するバイパス風路８を形成している。なお、バイパス風路８は空冷凝縮器４が埃付着などによって閉塞した場合に、外気を直接冷却ファン５に供給するものであり、空冷凝縮器４の１０％〜１５％程度の高さに相当する５〜１５ｍｍの空間が望ましい。
【００１８】
また、前記冷蔵庫本体１の背面下部には下部機械室９が設けてあり、この下部機械室９には風上から順に蒸発皿１１、第２のファン１０が設置されている。そして、第２のファン１０を駆動することにより、冷蔵庫本体１の下部付近の外気を吸入して蒸発皿１１に貯留された除霜水の蒸発を促進するとともに、冷蔵庫本体コーナ部に設けた上向きの連通風路１２を介して前記除霜水の蒸発により冷却された外気を前記機械室３内の空冷凝縮器４に供給し、これと圧縮機６の冷却を促進している。
【００１９】
上記冷蔵庫本体１の天面後部に設けた機械室３は、図４に示す様に、その機械室ケース３ａに機械室カバー１４を装着して覆ってある。この機械室カバー１４は略Ｌ字状に形成した金属製カバー１５と同略Ｌ字状に形成した樹脂製カバー１６を結合させて構成してある。
【００２０】
また、前記天面後部の機械室３に設けた冷却ファン５は図５〜図７に示す様にファン羽根１７とその外周を囲む樹脂製のファン枠１８とから構成してあり、以下、冷却ファン５の機械室３への取り付け構成を説明する。
【００２１】
図５〜図７において、ファン枠１８の後端側上下部には第１突起１９，第２突起２０が形成してあり、同ファン枠１８の前端下部には第３突起２１が形成してある。上記第１突起１９は機械室３の後面上部に上下方向に設けた第１凹部２２に嵌合し、第２突起２０は同機械室３の後面下部に水平方向に設けた第２凹部２３に嵌合し、第３突起２１は同機械室３の前端部下部に設けた第３凹部２４に嵌合して機械室３に取り付け固定してある。
【００２２】
更に詳述すると、図８（ａ）（ｂ）は図５〜図７のＡで示すファン枠１８後端上部の第１突起１９と機械室３の第１凹部２２との嵌合状態を示し、（ａ）は拡大側断面図、（ｂ）は拡大平面断面図である。同図において、第１突起１９は上下方向に形成してある第１凹部２２に嵌合しており、同図（ｂ）で示す様に左右方向に動かないように位置規制されている。
【００２３】
図９（ａ）（ｂ）は図５〜図７のＢで示すファン枠１８後端下部の第２突起２０と機械室３の第２凹部２３との嵌合状態を示し、（ａ）（ｂ）とも位置の異なる部分の拡大側断面図である。同図（ａ）で示す様に第２突起２０は機械室３に水平方向に形成してある第２凹部２３の上端面２３ａとオーバーラップしていて下向きに押し付け固定されており、上下方向に動かないように位置規制されている。なお、第２凹部２３は第２突起２０を嵌合させる力を低減させるために部分的に切欠き部２３ｂが形成してある。
【００２４】
図１０（ａ）（ｂ）は図５〜図７のＣで示すファン枠１８後端上部の第３突起２１と機械室３の第３凹部２４との嵌合状態を示し、（ａ）は拡大側断面図、（ｂ）は前面側から見た拡大正面図である。同図において、第３突起２１は機械室３の前方端面に設けた第３凹部２４に嵌合しており、同図（ａ）で示す様に第３突起２１の前面部に設けた小突起２５が第３凹部２４を形成している左右の断面略Ｌ字状壁２４ａ間にブリッジ状に設けた小突起押さえ部２４ｂとオーバーラップして後ろ向きに押し付けられるとともに、同図（ｂ）で示す様に第３突起２１の両端縁に設けた小突起２６が前記第３凹部２４の左右の断面
略Ｌ字状壁２４ａの両側壁内面に圧接して、前後方向に動かないように位置規制されている。
【００２５】
以上の構成からなる冷蔵庫の冷却ファン５は、図６に示す様にそのファン枠１８の後端側上部に設けた第１突起１９を機械室３の第１凹部２２に嵌合させ、その後前記第１凹部２２に嵌合した第１突起１９部分を中心に回転させながらファン枠１８の後端下部の第２突起２０を機械室３前端下部の第２凹部２３に嵌合させていき、その最終段階でファン枠１８の第３突起２１を機械室３の第３凹部２４に嵌合させ、その小突起２５，２６を第３凹部２４の内面に圧入して機械室３への取り付けを完了する。
【００２６】
そして、この状態で既に述べたように左右方向は第１突起１９と第１凹部２２の嵌合によって位置規制され、上下方向は第２突起２０と第２凹部２３の嵌合によって位置規制され、前後方向は第３突起２１と第３凹部２４の嵌合によって位置規制される。
【００２７】
したがって、冷却ファン５はビス等を用いなくても強固に固定することができ、ビスを廃止できると同時にビス止め作業もなくすることができる。
【００２８】
以上、本発明に係る冷蔵庫について、上記実施の各形態を用いて説明したが、本発明は、これに限定されるものではなく、本発明の特許請求の範囲と均等の意味及び範囲内でのすべての変更が含まれるものである。
【００２９】
例えば冷却ファン５の左右方向規制は第１突起１９と第１凹部２２の嵌合によって行い、上下方向の規制は第２突起２０と第２凹部２３の嵌合によって行っているが、左右方向の規制を第２突起２０と第２凹部２３の嵌合によって行い、上下方向規制を第１突起１９と第１凹部２２の嵌合によって行うようにしてもよい。
【産業上の利用可能性】
【００３０】
以上のように、本発明にかかる冷蔵庫は、ビス等を用いることなく、かつ、このビス止め作業もすることなく冷却ファンを機械室に取り付け固定することができる冷蔵庫を提供できる。よって、家庭用冷蔵庫をはじめとして業務用冷蔵庫、自動販売機など他の冷凍冷蔵応用商品にも広く適用できる。
【符号の説明】
【００３１】
１  冷蔵庫本体
２  扉
３  機械室
３ａ  機械室ケース
４  空冷凝縮器
５  冷却ファン
６  圧縮機
７  ファンリング
８  バイパス風路
９  下部機械室
１０  第２のファン
１１  蒸発皿
１２  連通風路
１４  機械室カバー
１５  金属製カバー
１６  樹脂製カバー
１７  ファン羽根
１８  ファン枠
１９  第１突起
２０  第２突起
２１  第３突起
２２  第１凹部
２３  第２凹部
２４  第３凹部
２４ａ  断面略Ｌ字状壁
２４ｂ  小突起押さえ部
２５，２６  小突起
【図１】
2015059727.tif 000003
【図２】
2015059727.tif 000004
【図３】
2015059727.tif 000005
【図４】
2015059727.tif 000006
【図５】
2015059727.tif 000007
【図６】
2015059727.tif 000008
【図７】
2015059727.tif 000009
【図８】
2015059727.tif 000010
【図９】
2015059727.tif 000011
【図１０】
2015059727.tif 000012
【図１１】
2015059727.tif 000013